(57)【要約】【課題】利用者自身に適するカスタマイズパネルの設定を可能とする複合機を提供する。【解決手段】ＭＦＰ１０は、カスタマイズパネル及びボックスを記憶している情報記憶部３４、現利用者が属するボックスと同一のボックスに属する他の登録利用者のカスタマイズパネルを情報記憶部３４から抽出する抽出部３６、現利用者の使用履歴を取得する取得部３８、抽出されたカスタマイズパネルから、取得した使用履歴による機能と、抽出されたカスタマイズパネルの機能との一致の度合いに基づいて、カスタマイズパネルを選択する選択部３７、選択されたカスタマイズパネルを現利用者に提示する表示制御部３２を備える。【選択図】図３
2011015179.tif 000002
【特許請求の範囲】
【請求項１】
複数の機能を有し、各機能の操作方法を示す操作パネルを利用者毎にカスタマイズする機能を備える複合機であって、
カスタマイズ利用者の選択による機能の操作方法を示すカスタマイズパネルを記憶しているカスタマイズ記憶手段と、
複数の登録利用者を１個のボックスに関連付けて記憶しているボックス記憶手段と、
操作パネルをカスタマイズしていない現利用者の指定を受け付ける受付手段と、
指定を受け付けた前記現利用者が属するボックスに関連付けて記憶された他の登録利用者のカスタマイズパネルを前記カスタマイズ記憶手段から抽出する抽出手段と、
指定を受け付けた前記現利用者が過去に使用した機能に係る使用履歴を取得する取得手段と、
抽出されたカスタマイズパネルから、取得した使用履歴による機能と、抽出されたカスタマイズパネルの機能との一致の度合いに基づいて、カスタマイズパネルを選択する選択手段と、
選択されたカスタマイズパネルを前記利用者に提示する提示手段と
を備えることを特徴とする複合機。
【請求項２】
前記カスタマイズ記憶手段は、カスタマイズ利用者の選択による複数の機能の操作方法を示す前記カスタマイズパネルを記憶しており、
前記取得手段は、前記現利用者が過去に使用した複数の機能に係る前記使用履歴を取得し、前記使用履歴は、各機能使用の使用回数を含み、
前記選択手段は、取得した前記使用履歴の複数の機能のうち所定の閾値以上の使用回数に対応する複数の機能と、抽出されたカスタマイズパネルの複数の機能とが、完全に一致する場合に、当該カスタマイズパネルを選択する
ことを特徴とする請求項１に記載の複合機。
【請求項３】
前記選択手段は、完全に一致しない場合、前記閾値以上の使用回数に対応する複数の機能と、抽出されたカスタマイズパネルの複数の機能との少なくとも一組が一致するときに、前記比較対象とした機能以外の他の機能の使用回数を用いて、当該カスタマイズパネルを選択する
ことを特徴とする請求項２に記載の複合機。
【請求項４】
前記ボックス記憶手段は、前記ボックスに属する前記複数の登録利用者のうちの一部の登録利用者を、他のボックスに関連付けて記憶しており、
前記抽出手段は、前記現利用者が属する前記ボックス及び前記現利用者が属する前記他のボックスの両方に関連付けて記憶された他の登録利用者のカスタマイズパネルを前記カスタマイズ記憶手段から抽出する
ことを特徴とする請求項１に記載の複合機。
【請求項５】
前記取得手段は、前記現利用者が過去に使用したジョブの設定内容である前記機能及びその使用回数を示す前記使用履歴を取得し、
前記選択手段は、前記使用回数が所定の閾値以上である前記使用回数に対応する前記機能と、当該カスタマイズパネルの機能とを比較して、前記カスタマイズパネルを選択する
ことを特徴とする請求項１に記載の複合機。
【請求項６】
前記取得手段は、前記現利用者が過去に使用したジョブの設定内容である前記機能を示す前記使用履歴を取得し、前記機能は、大項目及び小項目から構成され、
前記カスタマイズ記憶手段に記憶されている前記カスタマイズパネルは、カスタマイズ利用者の選択による機能の操作方法を示し、前記機能は、大項目及び小項目から構成され、
前記選択手段は、前記使用履歴の前記機能の大項目及び小項目と、前記カスタマイズパネルの前記機能の大項目及び小項目とを比較して、前記カスタマイズパネルを選択する
ことを特徴とする請求項１に記載の複合機。
【請求項７】
前記受付手段は、複合機へのログイン時に、前記現利用者の指定を受け付け、
前記抽出手段、前記取得手段、前記選択手段及び前記提示手段は、ログイン時に、抽出、取得、選択及び提示を行う
ことを特徴とする請求項１に記載の複合機。
【請求項８】
前記複合機は、
前記受付手段は、さらに、前記現利用者から提示に係るカスタマイズパネルの登録の承諾を受け付け、
前記複合機は、さらに、
提示に係るカスタマイズパネルを、前記現利用者のカスタマイズパネルとして、前記カスタマイズ記憶手段に書き込む書込手段
を備えることを特徴とする請求項１に記載の複合機。
【請求項９】
複数の機能を有し、各機能の操作方法を示す操作パネルを利用者毎にカスタマイズする機能を備える複合機の制御方法であって、
前記複合機は、カスタマイズ利用者の選択による機能の操作方法を示すカスタマイズパネルを記憶しているカスタマイズ記憶手段と、複数の登録利用者を１個のボックスに関連付けて記憶しているボックス記憶手段とを記憶しており、
前記制御方法は、
操作パネルをカスタマイズしていない現利用者の指定を受け付ける受付ステップと、
指定を受け付けた前記現利用者が属するボックスに関連付けて記憶された他の登録利用者のカスタマイズパネルを前記カスタマイズ記憶手段から抽出する抽出ステップと、
指定を受け付けた前記現利用者が過去に使用した機能に係る使用履歴を取得する取得ステップと、
抽出されたカスタマイズパネルから、取得した使用履歴による機能と、抽出されたカスタマイズパネルの機能との一致の度合いに基づいて、カスタマイズパネルを選択する選択ステップと、
選択されたカスタマイズパネルを前記利用者に提示する提示ステップと
を含むことを特徴とする制御方法。
【発明の詳細な説明】
【技術分野】
【０００１】
本発明は、プリンタ、複写機、ファクシミリ、スキャナなどの機能を兼ね備えた多機能周辺装置（Multifunction Peripheral、以下、ＭＦＰ。）において、当該装置を操作するための操作パネルを特定の利用者向きにカスタマイズする技術に関する。
【背景技術】
【０００２】
ＭＦＰを操作するための操作パネルには、通常、表面にタッチパネルを実装した液晶表示板が備えられており、当該液晶表示板に表示された各種の入力キーを、ユーザが指で押すことにより当該入力キーに関連付けられた処理内容を実行するように構成されている。
ＭＦＰは、その多機能化、高機能化及び利用者インタフェースの多様化のために、ＭＦＰの操作に不慣れな利用者にとっては、逆に操作性が低下することがある。このような問題を解決するため、ＭＦＰにより提供される機能が使い易くなるように、利用者自身が操作画面をカスタマイズすることができる機能が提供されている（特許文献１）。
【先行技術文献】
【特許文献】
【０００３】
【特許文献１】特開２００４−６２８２８号公報
【特許文献２】特開２００３−３３３２３４号公報
【特許文献３】特開２００８−５９５６０号公報
【発明の概要】
【発明が解決しようとする課題】
【０００４】
しかしながら、利用者が操作パネルを自身だけのためにカスタマイズしようとすると、その操作方法を学習した上で、どのようにカスタマイズすれば便利になるかを考えなければならず、手間がかかるという課題がある。
【課題を解決するための手段】
【０００５】
本発明は、上記の課題を解決するために、利用者自身がカスタマイズのための操作をすることなく、利用者自身に適していると考えられるカスタマイズされた操作パネルの設定を可能とする複合機及び制御方法を提供することを目的とする。
上記の目的を達成するために、本発明は、複数の機能を有し、各機能の操作方法を示す操作パネルを利用者毎にカスタマイズする機能を備える複合機であって、カスタマイズ利用者の選択による機能の操作方法を示すカスタマイズパネルを記憶しているカスタマイズ記憶手段と、複数の登録利用者を１個のボックスに関連付けて記憶しているボックス記憶手段と、操作パネルをカスタマイズしていない現利用者の指定を受け付ける受付手段と、指定を受け付けた前記現利用者が属するボックスに関連付けて記憶された他の登録利用者のカスタマイズパネルを前記カスタマイズ記憶手段から抽出する抽出手段と、指定を受け付けた前記現利用者が過去に使用した機能に係る使用履歴を取得する取得手段と、抽出されたカスタマイズパネルから、取得した使用履歴による機能と、抽出されたカスタマイズパネルの機能との一致の度合いに基づいて、カスタマイズパネルを選択する選択手段と、選択されたカスタマイズパネルを前記利用者に提示する提示手段とを備えることを特徴とする。
【発明の効果】
【０００６】
この構成によると、現利用者が属するボックスと同一のボックスに属する他の登録利用者のカスタマイズパネルのうち、現利用者の使用履歴による機能と、抽出されたカスタマイズパネルの機能との一致の度合いに基づいて、カスタマイズパネルを選択するので、利用者自身がカスタマイズのための操作をすることなく、利用者自身に適していると考えられるカスタマイズパネルを提示することできる。
【０００７】
ここで、前記カスタマイズ記憶手段は、カスタマイズ利用者の選択による複数の機能の操作方法を示す前記カスタマイズパネルを記憶しており、前記取得手段は、前記現利用者が過去に使用した複数の機能に係る前記使用履歴を取得し、前記使用履歴は、各機能使用の使用回数を含み、前記選択手段は、取得した前記使用履歴の複数の機能のうち所定の閾値以上の使用回数に対応する複数の機能と、抽出されたカスタマイズパネルの複数の機能とが、完全に一致する場合に、当該カスタマイズパネルを選択するとしてもよい。
【０００８】
この構成によると、取得した前記使用履歴の複数の機能のうち所定の閾値以上の使用回数に対応する複数の機能と、抽出されたカスタマイズパネルの複数の機能とが、完全に一致する場合に、当該カスタマイズパネルを選択するので、利用者自身に適していると考えられるカスタマイズパネルが選択される可能性が高い。
ここで、前記選択手段は、完全に一致しない場合、前記閾値以上の使用回数に対応する複数の機能と、抽出されたカスタマイズパネルの複数の機能との少なくとも一組が一致するときに、前記比較対象とした機能以外の他の機能の使用回数を用いて、当該カスタマイズパネルを選択するとしてもよい。
【０００９】
この構成によると、取得した前記使用履歴の複数の機能のうち所定の閾値以上の使用回数に対応する複数の機能と、抽出されたカスタマイズパネルの複数の機能とが、完全に一致しない場合であっても、次善のカスタマイズパネルを提示することができる。
ここで、前記ボックス記憶手段は、前記ボックスに属する前記複数の登録利用者のうちの一部の登録利用者を、他のボックスに関連付けて記憶しており、前記抽出手段は、前記現利用者が属する前記ボックス及び前記現利用者が属する前記他のボックスの両方に関連付けて記憶された他の登録利用者のカスタマイズパネルを前記カスタマイズ記憶手段から抽出するとしてもよい。
【００１０】
この構成によると、多様なボックスの形態に合わせて、カスタマイズパネルを選択することができる。
ここで、前記取得手段は、前記現利用者が過去に使用したジョブの設定内容である前記機能及びその使用回数を示す前記使用履歴を取得し、前記選択手段は、前記使用回数が所定の閾値以上である前記使用回数に対応する前記機能と、当該カスタマイズパネルの機能とを比較して、前記カスタマイズパネルを選択するとしてもよい。
【００１１】
この構成によると、使用履歴による使用回数が所定の閾値以上である前記使用回数に対応する前記機能と、当該カスタマイズパネルの機能とを比較して、前記カスタマイズパネルを選択するので、利用者自身に適していると考えられるカスタマイズパネルを提示することできる。
ここで、前記取得手段は、前記現利用者が過去に使用したジョブの設定内容である前記機能を示す前記使用履歴を取得し、前記機能は、大項目及び小項目から構成され、前記カスタマイズ記憶手段に記憶されている前記カスタマイズパネルは、カスタマイズ利用者の選択による機能の操作方法を示し、前記機能は、大項目及び小項目から構成され、前記選択手段は、前記使用履歴の前記機能の大項目及び小項目と、前記カスタマイズパネルの前記機能の大項目及び小項目とを比較して、前記カスタマイズパネルを選択するとしてもよい。
【００１２】
この構成によると、各機能は、大項目及び小項目から構成され、前記選択手段は、前記使用履歴の前記機能の大項目及び小項目と、前記カスタマイズパネルの前記機能の大項目及び小項目とを比較して、前記カスタマイズパネルを選択するので、機能が階層的に分類されている場合であっても、適切なカスタマイズパネルを選択することができる。
ここで、前記受付手段は、複合機へのログイン時に、前記現利用者の指定を受け付け、前記抽出手段、前記取得手段、前記選択手段及び前記提示手段は、ログイン時に、抽出、取得、選択及び提示を行うとしてもよい。
【００１３】
この構成によると、現利用者のログイン時に、抽出、取得、選択及び提示を行うので、確実に現利用者に対して、適切なカスタマイズパネルを提示することができる。
ここで、前記複合機は、前記受付手段は、さらに、前記現利用者から提示に係るカスタマイズパネルの登録の承諾を受け付け、前記複合機は、さらに、提示に係るカスタマイズパネルを、前記現利用者のカスタマイズパネルとして、前記カスタマイズ記憶手段に書き込む書込手段を備えるとしてもよい。
【００１４】
この構成によると、カスタマイズパネルが提示された後に、現利用者から提示に係るカスタマイズパネルの登録の承諾を受け付けると、提示に係るカスタマイズパネルを、前記現利用者のカスタマイズパネルとして、前記カスタマイズ記憶手段に書き込むので、現利用者が次に使用するときに、カスタマイズパネルを用いることができる。
【図面の簡単な説明】
【００１５】
【図１】本発明に係る１の実施の形態としてのＭＦＰ１０の外観を示す。
【図２】制御部１５の構成を示すブロック図である。
【図３】制御部１５の機能構成を示す機能ブロック図である。
【図４】ＭＦＰ１０における操作パネルのカスタマイズの方法を示す概念図である。
【図５】情報記憶部３４に記憶されているデータを示す。
【図６】ボックステーブル１０１のデータ構造を示す。
【図７】ボックステーブル１０２のデータ構造を示す。
【図８】ボックステーブル１０３のデータ構造を示す。
【図９】使用履歴情報テーブル１２１のデータ構造を示す。
【図１０】利用者４のカスタマイズパネルの一例を示す。
【図１１】利用者５のカスタマイズパネルの一例を示す。
【図１２】利用者６のカスタマイズパネルの一例を示す。
【図１３】利用者４のカスタマイズパネルテーブルのデータ構造を示す。
【図１４】利用者５のカスタマイズパネルテーブルのデータ構造を示す。
【図１５】利用者６のカスタマイズパネルテーブルのデータ構造を示す。
【図１６】判定テーブル１４１のデータ構造を示す。
【図１７】標準パネルの一例を示す。
【図１８】お勧めのカスタマイズパネルの一例を示す。
【図１９】ＭＦＰ１０によるお勧めのカスタマイズパネルの設定の動作を示すフローチャートである。図２０へ続く。
【図２０】ＭＦＰ１０によるお勧めのカスタマイズパネルの設定の動作を示すフローチャートである。図１９から続く。
【図２１】選択部３７による利用者の使用履歴情報に関連する他の登録利用者のカスタマイズパネルの検索の動作を示すフローチャートである。
【図２２】変形例としてのＭＦＰ１０における操作パネルのカスタマイズの方法を示す概念図である。
【図２３】ボックステーブルのデータ構造を示す。
【図２４】変形例としての利用者４のカスタマイズパネルの一例を示す。
【図２５】変形例としての利用者５のカスタマイズパネルの一例を示す。
【図２６】変形例としての利用者６のカスタマイズパネルの一例を示す。
【図２７】変形例としての判定テーブル１７１のデータ構造を示す。
【図２８】変形例としての選択部３７による利用者の使用履歴情報に関連する他の登録利用者のカスタマイズパネルの検索の動作を示すフローチャートである。図２９へ続く。
【図２９】変形例としての選択部３７による利用者の使用履歴情報に関連する他の登録利用者のカスタマイズパネルの検索の動作を示すフローチャートである。図２８から続く。
【図３０】別の変形例としてのカスタマイズパネルの一例を示す。
【図３１】別の変形例としてのＭＦＰ１０の動作を示すフローチャートである。
【発明を実施するための形態】
【００１６】
１．実施の形態
本発明に係る１の実施の形態としてのＭＦＰ１０について説明する。
１．１  ＭＦＰ１０の構成
ＭＦＰ１０は、図１に示すように、プリンタ、複写機、ファクシミリ、スキャナなどの機能や、ソータ、ステープラなどの機能を有するフィニッシャー部を有する多機能複合装置（あるいは、単に、複合機とも呼ぶ。）である。ＭＦＰ１０は、制御部１５及びパネル部２０を備えている。
【００１７】
パネル部２０は、利用者がＭＦＰ１０に対して操作を行ったり、ＭＦＰ１０が利用者への表示を行う利用者インタフェースである。
制御部１５は、図２に示すように、ＣＰＵ(Central Processing Unit)２１、ＲＡＭ(Random Access Memory)２２、ＲＯＭ(Read Only Memory)２３、ＨＤＤ(Hard Disk Drive)２４、パネル制御部２５、プリント処理制御部２６、ネットワークインタフェース部２７及び外部機器接続部２８から構成されている。
【００１８】
制御部１５を機能的に表現した機能ブロック図を図３に示す。この図に示すように、制御部１５は、入出力制御部３１、表示制御部３２、入力部３３、情報記憶部３４、カスタマイズ判断部３５、抽出部３６、選択部３７、使用履歴取得部３８、書込部３９、パネル制御部２５、プリント処理制御部２６、ネットワークインタフェース部２７及び外部機器接続部２８から構成されている。入出力制御部３１、表示制御部３２、入力部３３、カスタマイズ判断部３５、抽出部３６、選択部３７及び使用履歴取得部３８及び書込部３９は、ＣＰＵ２１、ＲＡＭ２２、ＲＯＭ２３及びＨＤＤ２４に相当し、ＲＡＭ２２、ＲＯＭ２３及びＨＤＤ２４には、コンピュータプログラムが記憶されており、ＣＰＵ２１が前記コンピュータプログラムに従って動作することにより、入出力制御部３１、表示制御部３２、入力部３３、カスタマイズ判断部３５、抽出部３６、選択部３７、使用履歴取得部３８及び書込部３９が動作する。情報記憶部３４は、ＲＡＭ２２及びＨＤＤ２４に相当する。
【００１９】
ＭＦＰ１０は、上述したように、複数の機能を有し、各機能の操作方法を示す操作パネルを利用者毎にカスタマイズするカスタマイズ機能を備えている。カスタマイズ機能は、パネルに表示する内容、操作キーの位置、大きさなどを利用者がカスタマイズすることができる機能である。ＭＦＰ１０は、カスタマイズ利用者の選択による機能の操作方法を示すカスタマイズパネルを記憶している。
【００２０】
また、ＭＦＰ１０は、図４に示すように、例えば、組織の部署毎に設定できるボックス（ＢＯＸ）２０１、２０２及び２０３を備えている。ボックス２０１、２０２及び２０３は、それぞれ、部署Ａ、部署Ｂ及び部署Ｃのためのボックスである。各ボックスは、複数の登録利用者を当該１個のボックスに関連付けて記憶している。ここで、例えば、ボックス２０１は、部署Ａに所属する複数の登録利用者を関連付けて記憶しており、ボックス２０２は、部署Ｂに所属する複数の登録利用者を関連付けて記憶しており、ボックス２０３は、部署Ｃに所属する複数の登録利用者を関連付けて記憶している。また、各ボックスは、各登録利用者について、カスタマイズパネルの有無を記憶している。
【００２１】
ＭＦＰ１０は、現利用者に使用されるときに、当該現利用者によるログイン入力を受け付ける。ここで、現利用者は、図４に示す利用者１であるとする。
ログイン入力を行った現利用者が、自身の操作パネルをカスタマイズしていない場合に、ＭＦＰ１０は、当該現利用者が属するボックスと同一のボックスに属する他の登録利用者のカスタマイズパネルを全て抽出する。図４に示す場合には、利用者１の属するボックス２０１には、他に登録利用者２〜６が記憶されているが、このうち、登録利用者４〜６については、カスタマイズパネルが存在しているので、登録利用者４〜６のカスタマイズパネル２０５、２０６及び２０７が抽出される。
【００２２】
次に、ＭＦＰ１０は、当該現利用者が過去にＭＦＰ１０において使用した機能に係る使用履歴を取得する。図４に示す場合には、「フルカラー」、「文字画質」及び「ステープル」を含む使用履歴２０４が取得される。
次に、ＭＦＰ１０は、抽出されたカスタマイズパネル２０５、２０６及び２０７から、取得した使用履歴２０４による機能「フルカラー」、「文字画質」及び「ステープル」と、抽出されたカスタマイズパネル２０５、２０６及び２０７の各機能との一致の度合いに基づいて、１個のカスタマイズパネル２０６を選択する。ここで、カスタマイズパネル２０６は、「カラー設定」、「画質設定」及び「ステープル設定」を含むので、使用履歴２０４に一致する。カスタマイズパネル２０６の「カラー設定」、「画質設定」及び「ステープル設定」は、それぞれ、使用履歴２０４の「フルカラー」、「文字画質」及び「ステープル」に対応するからである。ＭＦＰ１０は、選択されたカスタマイズパネル２０６をパネル部２０に表示することにより、利用者１に提示する。
【００２３】
なお、カスタマイズパネル２０５の「カラー設定」、「倍率設定」及び「用紙設定」は、それぞれ、使用履歴２０４の「フルカラー」、「文字画質」及び「ステープル」に対応していないので、カスタマイズパネル２０５は、選択されない。同様に、カスタマイズパネル２０７の「コントラスト設定」、「両面設定」及び「セキュリティ設定」は、それぞれ、使用履歴２０４の「フルカラー」、「文字画質」及び「ステープル」に対応していないので、カスタマイズパネル２０７も、選択されない。
【００２４】
ＭＦＰ１０は、選択したカスタマイズパネルをパネル部２０に表示した後に、現利用者から提示に係るカスタマイズパネルの登録の承諾を受け付け、提示に係るカスタマイズパネルを、前記現利用者のカスタマイズパネルとして、記憶する。
この後、利用者１によってＭＦＰ１０の使用がされる場合には、ＭＦＰ１０は、利用者１のカスタマイズパネルとして、図４に示す利用者５のカスタマイズパネル２０６と同じカスタマイズパネルを表示する。
【００２５】
利用者１と利用者５とは、同じ部署Ａに所属しており、利用者５のカスタマイズパネル２０６の機能は、利用者１の使用履歴の主要な機能と一致しているので、利用者５のカスタマイズパネル２０６は、利用者１にとっても使い易いものであると考えられる。
１．２  制御部１５の構成
ここでは、制御部１５の構成について説明する。
【００２６】
（１）情報記憶部３４
情報記憶部３４は、ＲＡＭ２２、ＨＤＤ２４又はＲＡＭ２２及びＨＤＤ２４の両方により構成されている。
情報記憶部３４は、図５に示すように、ボックステーブル１０１、１０２、１０３、カスタマイズパネルテーブル１５１、１５２、１５３、・・・及び使用履歴情報テーブル１２１、１２２、・・・、及び複数の標準パネルテーブルを記憶しており、また、判定テーブル１４１を記憶するための領域を備えている。
【００２７】
（ａ）ボックステーブル１０１、１０２及び１０３
ボックステーブル１０１、１０２及び１０３は、それぞれ、ボックスのデータ構造を示す情報テーブルである。ボックステーブル１０１、１０２及び１０３のデータ構造をそれぞれ、図６〜図８に示す。ボックステーブル１０１、１０２及び１０３は、それぞれ、図４に示すボックス２０１、２０２及び２０３に対応している。
【００２８】
ボックステーブル１０１は、図６に示すように、ボックス名と複数の利用者情報とから構成される。ボックス名は、ボックステーブル１０１を識別するための名称である。複数の利用者情報は、利用者名及びカスタマイズ有無から構成される。利用者名は、ボックステーブル１０１に対応するボックスに属する登録利用者を識別するための名称である。カスタマイズ有無は、対応する利用者名により識別される登録利用者について、操作パネルのカスタマイズがされているか否かを示すフラグである。このように、ボックステーブル１０１は、複数の登録利用者を関連付けて記憶している。ボックステーブル１０１は、具体的には、図６に示すように、部署Ａのためのボックスを示す情報テーブルであり、当該ボックスには、利用者１〜６が関連付けられている。利用者１〜３については、対応するカスタマイズ有無が「無」であるので、カスタマイズパネルが登録されておらず、利用者４〜６については、対応するカスタマイズ有無が「有」であるので、カスタマイズパネルが登録されている。
【００２９】
ボックステーブル１０２及び１０３は、ボックステーブル１０１と同様のデータ構造を有する情報テーブルである。
ボックステーブル１０２は、具体的には、図７に示すように、部署Ｂのためのボックスのデータ構造を示す情報テーブルであり、当該ボックスには、利用者７〜１１が関連付けられている。利用者７、８、１１については、対応するカスタマイズ有無が「無」であるので、カスタマイズパネルが登録されておらず、利用者９、１０については、対応するカスタマイズ有無が「有」であるので、カスタマイズパネルが登録されている。
【００３０】
また、ボックステーブル１０３は、具体的には、図８に示すように、部署Ｃのためのボックスのデータ構造を示す情報テーブルであり、当該ボックスには、利用者１２〜１７が関連付けられている。利用者１２〜１７については、対応するカスタマイズ有無が「無」であるので、カスタマイズパネルが登録されていない。
（ｂ）使用履歴情報テーブル１２１、１２２、・・・
使用履歴情報テーブル１２１は、利用者によって過去に使用されたＭＦＰ１０が有する各機能の使用履歴を記憶するための情報テーブルである。使用履歴情報テーブル１２１は、図９に示すように、利用者名及び複数の使用履歴情報から構成されている。
【００３１】
利用者名は、当該使用履歴情報テーブル１２１の利用者を識別する名称である。
複数の使用履歴情報は、ＭＦＰ１０が有する複数の機能に対応している。各使用履歴情報は、大項目、識別情報（大項目）、小項目、識別情報（小項目）、回数、合計及び評価から構成されている。
大項目は、ＭＦＰ１０が有する複数の機能のうちの、大項目で表したものを示す。例えば、大項目の一例は、「カラー」、「倍率」、「両面」、「画質」、「ステープル」、「集約」、「ソート」である。識別情報（大項目）は、大項目を識別するための識別子である。
【００３２】
小項目は、ＭＦＰ１０が有する複数の機能のうちの、大項目をさらに、分類したものである。例えば、大項目「カラー」について、小項目の一例は、「フルカラー」、「モノクロ」であり、大項目「倍率」について、小項目の一例は、「A4→A3」、「小さめ」であり、大項目「両面」について、小項目は、無く、大項目「画質」について、小項目の一例は、「文字」、「写真」であり、大項目「ステープル」について、小項目の一例は、「左上」、「二点」であり、大項目「集約」について、小項目の一例は、「2 in 1」、「4 in 1」であり、大項目「ソート」について、小項目は、無い。識別情報（小項目）は、小項目を識別するための識別子である。
【００３３】
ここで、大項目「カラー」についての小項目「フルカラー」及び「モノクロ」は、それぞれ、カラー及びモノクロで印刷することを示す。また、大項目「倍率」についての小項目「A4→A3」及び「小さめ」は、それぞれ、A4サイズの用紙をA3サイズに拡大して印刷する倍率、及び小さく、例えば、９０％に縮小する倍率を示す。また、大項目「両面」は、用紙の両面に印刷することを示す。また、大項目「画質」についての小項目「文字」及び「写真」は、それぞれ、文字画質及び写真画質により、原稿を読み取り、印刷することを示す。また、大項目「ステープル」についての小項目「左上」及び「二点」は、それぞれ、印刷された用紙を綴じる際の綴じ位置を示す。また、大項目「集約」についての小項目「2 in 1」及び「4 in 1」は、それぞれ、２枚の原稿を縮小して１枚の用紙内に並べて印刷すること、及び４枚の原稿を縮小して１枚の用紙内に並べて印刷することを示す。また、大項目「ソート」は、複数枚の印刷された用紙を指定された順序に並び替えることを示す。
【００３４】
回数は、所定の期間において、例えば、過去の１カ月の期間において、利用者により、小項目により示される機能が使用された回数を示す。
合計は、同じ大項目に分類される全ての小項目の回数の合計値である。例えば、小項目「フルカラー」の回数は、「２５」であり、小項目「モノクロ」の回数は、「６０」であるので、その合計値が合計「８５」である。
【００３５】
評価は、合計の値に応じて、定めたランクであり、一例として、合計が「５０」以上の場合には、評価「Ａ」とし、合計が「１１」以上、「５０」未満の場合には、評価「Ｂ」とし、合計が「１０」以下の場合には、評価「Ｃ」としている。
使用履歴情報テーブル１２２、・・・は、使用履歴情報テーブル１２１と同じデータ構造を有しているので、説明を省略する。
【００３６】
（ｃ）カスタマイズパネルテーブル１５１、１５２、１５３、・・・
カスタマイズパネルテーブル１５１は、カスタマイズ利用者の選択による機能の操作方法を示すカスタマイズパネルのデータ構造を示す情報テーブルである。
カスタマイズパネルテーブル１５１は、図１３に示すように、利用者名及び複数の表示項目情報から構成されている。利用者名は、カスタマイズパネルテーブル１５１が示すカスタマイズパネルのカスタマイズ利用者を識別する名称である。複数の表示項目情報は、カスタマイズパネルに表示される複数の表示項目に対応している。
【００３７】
カスタマイズパネルテーブル１５１が示すカスタマイズパネルの一例を図１０に示す。図１０に示すカスタマイズパネル２２１は、縦に４個、横に３個、合計で１２個の表示項目を行列状に並べて表示するものである。カスタマイズパネル２２１は、大項目として、表示項目「カラー」、「倍率」及び「用紙」を含む。また、大項目としての表示項目「カラー」について、小項目としての表示項目「フルカラー」、「モノクロ」及び「二色」を含み、大項目としての表示項目「倍率」について、小項目としての表示項目「A4→A3」、「A5→A4」及び「小さめ」を含み、大項目としての表示項目「用紙」について、小項目としての表示項目「普通紙」、「厚紙」及び「再生紙」を含む。
【００３８】
カスタマイズパネルテーブル１５１の各表示項目情報は、表示文字、識別情報、表示位置（ｘ座標）及び表示位置（ｙ座標）を含む。
表示文字は、カスタマイズパネルの表示項目に表示されるべき文字を表している。
識別情報は、対応する表示文字を識別する識別子である。
表示位置（ｘ座標）及び表示位置（ｙ座標）は、カスタマイズパネルにおいて、対応する表示文字を配置すべき位置のｘ座標及びｙ座標を示している。
【００３９】
カスタマイズパネルテーブル１５２、１５３は、図１４及び図１５に示すように、カスタマイズパネルテーブル１５１と同一のデータ構造を有しているので、これらの説明を省略する。また、カスタマイズパネルテーブル１５２、１５３が示すカスタマイズパネルの一例を、図１１及び図１２に、カスタマイズパネル２２２、２２３として示す。
（ｄ）判定テーブル１４１
判定テーブル１４１は、選択部３７により、登録利用者のカスタマイズパネルを選択するか否かを決定する際に用いられる。判定テーブル１４１は、現利用者が属するボックスと同一のボックスに属する他の登録利用者のうち、カスタマイズパネルが設定された登録利用者のこれらのカスタマイズパネルの機能と、現利用者によるＭＦＰ１０の使用の履歴を示す使用履歴情報テーブルの機能との一致の度合いを判定するためのテーブルである。
【００４０】
判定テーブル１４１は、図１６に示すように、複数個の判定情報から構成されている。複数の判定情報は、それぞれ、使用履歴情報テーブル１２１において、評価「Ａ」が割り当てられた複数の大項目に対応している。
判定情報は、使用履歴情報テーブル１２１から抽出した大項目、識別情報、一例として利用者４のカスタマイズパネルにおける大項目の有無、一例として利用者５のカスタマイズパネルにおける大項目の有無及び一例として利用者６のカスタマイズパネルにおける大項目の有無から構成されている。
【００４１】
ここで、使用履歴情報テーブル１２１から抽出した大項目は、使用履歴情報テーブル１２１において、評価「Ａ」が割り当てられた大項目の内容と同一である。識別情報は、当該大項目を識別する識別子である。
カスタマイズパネルにおける大項目の有無（利用者４）、カスタマイズパネルにおける大項目の有無（利用者５）及びカスタマイズパネルにおける大項目の有無（利用者６）は、
現利用者（一例として利用者１）が属するボックスと同一のボックスに属する他の登録利用者のうち、カスタマイズパネルが設定された登録利用者に対応している。図４に示すように、一例として、利用者４、利用者５及び利用者６がこれらの登録利用者である。
【００４２】
各カスタマイズパネルにおける大項目の有無は、登録利用者の当該カスタマイズパネルに、使用履歴情報テーブル１２１から抽出した大項目（評価「Ａ」に対応するもの）が含まれるか否かを示す。「１」は、含まれることを示し、「０」は、含まれないことを示している。
例えば、図１６の判定テーブル１４１において、使用履歴情報テーブル１２１から抽出した大項目「カラー」について、カスタマイズパネルにおける大項目の有無（利用者４）は、「１」であるので、利用者４のカスタマイズパネルに、大項目「カラー設定」が含まれていることを示している。また、使用履歴情報テーブル１２１から抽出した大項目「画質」について、カスタマイズパネルにおける大項目の有無（利用者４）は、「０」であるので、利用者４のカスタマイズパネルに、大項目「画質」が含まれていないことを示している。
【００４３】
（ｅ）標準パネルテーブル
標準パネルテーブルは、ＭＦＰ１０の製造時に予め準備された標準パネルのデータ構造を示す情報テーブルである。標準パネルテーブルは、カスタマイズパネルテーブルと同様の構成を有しているので、ここでは、説明を省略する。
（２）入力部３３
入力部３３は、パネル部２０からパネル制御部２５を介して、利用者の各種の操作情報の入力を受け付け、受け付けた操作情報を入出力制御部３１へ出力する。
【００４４】
（３）カスタマイズ判断部３５
カスタマイズ判断部３５は、入出力制御部３１から現利用者の利用者ＩＤを受け取り、受け取った利用者ＩＤについてのカスタマイズパネルが存在するか否かの判断を、受け取った利用者ＩＤにより示される利用者のカスタマイズパネルテーブルが情報記憶部３４に記憶されているか否かを判断することによって行い、カスタマイズパネルが存在するか否かを示す判断の結果を入出力制御部３１へ出力する。
【００４５】
上記の判断は、情報記憶部３４に記憶されている各ボックステーブルにおいて、受け取った利用者ＩＤにより示される利用者に対応して記憶されているカスタマイズ有無を用いて行うとしてもよい。
（４）抽出部３６
抽出部３６は、入出力制御部３１から現利用者の利用者ＩＤを受け取り、利用者ＩＤにより示される利用者が登録されているボックステーブルを、情報記憶部３４から探し、当該利用者が登録されているボックステーブルが発見できたら、当該ボックステーブルから、次の条件（ａ）及び（ｂ）に合致する登録利用者の利用者名を読み出す。
【００４６】
（ａ）現利用者以外の登録利用者であること
（ｂ）カスタマイズ有無として、「有」が対応付けられている登録利用者であること
次に、抽出部３６は、読み出した利用者名により識別されるカスタマイズ利用者のカスタマイズパネルテーブルを情報記憶部３４から抽出し、抽出したカスタマイズパネルテーブルを選択部３７へ出力する。
【００４７】
（５）使用履歴取得部３８
使用履歴取得部３８は、入出力制御部３１から現利用者の利用者ＩＤを受け取り、利用者ＩＤにより示される利用者の使用履歴情報テーブルを、情報記憶部３４から読み出し、読み出した使用履歴情報テーブルを選択部３７へ出力する。
（６）選択部３７
選択部３７は、入出力制御部３１から利用者ＩＤを受け取り、抽出部３６からカスタマイズパネルテーブルを受け取り、使用履歴取得部３８から使用履歴情報テーブルを受け取る。
【００４８】
次に、選択部３７は、利用者の使用履歴情報に関連する他の登録利用者のカスタマイズパネルの検索を行う。具体的には、選択部３７は、抽出部３６から受け取ったカスタマイズパネルテーブルの中から、受け取った使用履歴情報テーブル内の機能と、前記カスタマイズパネルテーブル内の機能との一致の度合いに基づいて、カスタマイズパネルテーブルを選択し、選択したカスタマイズパネルテーブルをお勧めのカスタマイズパネルテーブルとして表示制御部３２へ出力する。詳細については、後述する。
【００４９】
まとめると、カスタマイズパネルの選択は、次のようにして行われる。つまり、使用履歴取得部３８は、現利用者が過去に使用したジョブの設定内容である前記機能及びその使用の回数を示す前記使用履歴を取得する。選択部３７は、使用の回数が所定の閾値以上である前記使用の回数に対応する前記機能と、当該カスタマイズパネルの機能とを比較して、カスタマイズパネルを選択する。
【００５０】
（７）表示制御部３２
表示制御部３２は、選択部３７から、お勧めのカスタマイズパネルテーブルを受け取る。お勧めのカスタマイズパネルテーブルを受け取ると、情報記憶部３４から標準パネルテーブルを読み出し、読み出した標準パネルテーブルを用いて、さらに、図１７に一例として示すように、元の標準パネルの内容に加えて、お勧めのカスタマイズパネルテーブルが存在することを示す表示項目２５１ａを追加し、表示項目の追加された標準パネル２５１の画面を生成し、生成した標準パネル２５１をパネル制御部２５を介して、パネル部２０へ出力して、当該標準パネルを表示するように制御する。
【００５１】
図１７に示す標準パネル２５１は、利用者１のログイン直後に表示されるものであり、この図に示すように、お勧めのカスタマイズパネルテーブルが存在することを示す表示項目２５１ａが追加されている。
次に、表示制御部３２は、表示項目２５１ａに対応する操作情報を、パネル部２０、パネル制御部２５、入力部３３及び入出力制御部３１を介して、受け取る。表示項目２５１ａに対応する操作情報を受け取ると、表示制御部３２は、選択部３７から受け取ったお勧めのカスタマイズパネルテーブルを用いて、図１８に一例として示すように、元のカスタマイズパネルの内容に加えて、「採用」と表示された表示項目２５２ａ及び「キャンセル」と表示された表示項目２５２ｂを追加して、お勧めのカスタマイズパネル２５２の画面を生成し、生成したお勧めのカスタマイズパネル２５２をパネル制御部２５を介して、パネル部２０へ出力して表示するように制御する。
【００５２】
図１８に示すように、カスタマイズパネル２５２は、元のカスタマイズパネルの内容に加えて、「採用」と表示された表示項目２５２ａ及び「キャンセル」と表示された表示項目２５２ｂを含んで構成されている。
（８）書込部３９
書込部３９は、入出力制御部３１から、現利用者に対して提示されたお勧めのカスタマイズパネルの登録の指示及びお勧めのカスタマイズパネルテーブルを受け取る。前記指示及びカスタマイズパネルテーブルを受け取ると、書込部３９は、受け取ったカスタマイズパネルテーブルを、前記現利用者のカスタマイズパネルテーブルとして、情報記憶部３４へ書き込む。
【００５３】
（９）入出力制御部３１
入出力制御部３１は、パネル部２０からパネル制御部２５及び入力部３３を介して、利用者の操作情報を受け取る。
利用者の操作情報は、利用者ＩＤ、現利用者からの提示に係るお勧めのカスタマイズパネルの登録の承諾、標準パネル及びカスタマイズパネルに表示される表示項目に対応するする応答情報などを含む。
【００５４】
利用者の操作情報が利用者ＩＤである場合に、入出力制御部３１は、現利用者の利用者ＩＤをカスタマイズ判断部３５へ出力し、受け取った利用者ＩＤにより識別される利用者について、現利用者のカスタマイズパネルが存在するか否かを確認するように、カスタマイズ判断部３５へ指示する。また、入出力制御部３１は、現利用者のカスタマイズパネルが存在するか否かを示す判断の結果を入出力制御部３１から受け取る。
【００５５】
入出力制御部３１は、カスタマイズ判断部３５から現利用者のカスタマイズパネルが存在することを示す判断の結果を受け取った場合に、通常の動作を行う。
入出力制御部３１は、カスタマイズ判断部３５から現利用者のカスタマイズパネルが存在しないことを示す判断の結果を受け取った場合に、抽出部３６に対して、現利用者が属するボックスと同一のボックスに属する他の登録利用者のカスタマイズパネルが存在するか否かを判断し、存在する場合には、これらの登録利用者のカスタマイズパネルを抽出するように、指示する。
【００５６】
入力部３３から受け取った利用者の操作情報が、現利用者からの提示に係るお勧めのカスタマイズパネルの登録の承諾である場合に、入出力制御部３１は、選択部３７からカスタマイズパネルテーブルを受け取り、現利用者の利用者ＩＤと受け取ったカスタマイズパネルテーブルとを書込部３９へ出力し、現利用者のカスタマイズパネルテーブルとして情報記憶部３４へ書き込むように指示する。
【００５７】
（１０）パネル制御部２５、プリント処理制御部２６、ネットワークインタフェース部２７及び外部機器接続部２８
パネル制御部２５は、パネル部２０の制御を行う。また、ＷＥＢブラウザ機能を有し、ＩＰネットワークに接続されたＷＥＢサーバ上のコンテンツの表示やファイルのダウンロードを制御する。
【００５８】
プリント処理制御部２６は、ＭＦＰ１０の有するプリント機構を制御するとともに、ＷＥＢブラウザで表示されたデータやＷＥＢブラウザからダウンロードした画像等、ＭＦＰ１０に入力された画像データのラスタライズ処理や印刷処理を行う。
ネットワークインタフェース部２７は、Ｅｔｈｅｒｎｅｔ（登録商標）等のネットワークを介して、Ｗｅｂサーバ等の外部の装置との接続を制御するなどのネットワークプロトコル処理を行う。
【００５９】
外部機器接続部２８は、ＵＳＢ、Ｂｌｕｅｔｏｏｔｈ、赤外線などにより、外部機器とＭＦＰ１０とを接続し、データ転送などを行う。
１．３  ＭＦＰ１０の動作
（１）ＭＦＰ１０によるお勧めのカスタマイズパネルの設定の動作
ここでは、ＭＦＰ１０によるお勧めのカスタマイズパネルの設定の動作について、図１９〜図２０に示すフローチャートを用いて、説明する。
【００６０】
入力部３３は、パネル部２０からパネル制御部２５を介して、現利用者の利用者ＩＤの入力を伴って、現利用者のログイン操作を受け付ける（ステップＳ１０１）。
カスタマイズ判断部３５は、利用者ＩＤにより示される現利用者のカスタマイズパネルが存在するか否かを判断し（ステップＳ１０２）、カスタマイズパネルが存在する場合（ステップＳ１０２でＹＥＳ）、ステップＳ１１７へ制御が移る。
【００６１】
カスタマイズパネルが存在しない場合（ステップＳ１０２でＮＯ）、抽出部３６は、現利用者が属するボックスと同一のボックスに属する他の登録利用者であって、カスタマイズパネルが設定されている登録利用者がいるか否かを判断する（ステップＳ１０３）。
現利用者が属するボックスと同一のボックスに属する他の登録利用者であって、カスタマイズパネルが設定されている登録利用者がいない場合（ステップＳ１０３でＮＯ）、ステップＳ１１７へ制御が移る。
【００６２】
現利用者が属するボックスと同一のボックスに属する他の登録利用者であって、カスタマイズパネルが設定されている登録利用者がいる場合（ステップＳ１０３でＹＥＳ）、使用履歴取得部３８は、利用者ＩＤにより示される現利用者の使用履歴情報テーブルを読み出し、選択部３７は、抽出部３６からカスタマイズパネルテーブルを受け取り、使用履歴取得部３８から使用履歴情報テーブルを受け取り、使用履歴情報テーブルに関連する他の登録利用者のカスタマイズパネルがある否かを判断する（ステップＳ１０４）。具体的には、選択部３７は、抽出部３６から受け取ったカスタマイズパネルテーブルの中から、受け取った使用履歴情報テーブル内の機能と、前記カスタマイズパネルテーブル内の機能との一致の度合いに基づいて、カスタマイズパネルテーブルを選択し、選択したカスタマイズパネルテーブルをお勧めのカスタマイズパネルテーブルとして表示制御部３２へ出力する。
【００６３】
使用履歴情報テーブルに関連するカスタマイズパネルが存在しない場合（ステップＳ１０４でＮＯ）、ステップＳ１１７へ制御が移る。
使用履歴情報テーブルに関連するカスタマイズパネルが存在する場合（ステップＳ１０４でＹＥＳ）、表示制御部３２は、情報記憶部３４から標準パネルテーブルを読み出し（ステップＳ１０５）、一例として、図１７に示す「オススメがあります」と表示された表示項目２５１ａを含む標準パネル２５１を生成し（ステップＳ１０６）、生成した標準パネル２５１をパネル制御部２５を介して、パネル部２０へ出力して、標準パネル２５１を表示する（ステップＳ１０７）。
【００６４】
入力部３３が現利用者による「オススメがあります」と表示された表示項目２５１ａに対する入力を受け付けると（ステップＳ１０８）、表示制御部３２は、選択されたカスタマイズパネルテーブルを受け取り（ステップＳ１０９）、一例として、図１８に示すお勧めのカスタマイズパネル２５２を生成し（ステップＳ１１０）、生成したお勧めのカスタマイズパネル２５２をパネル制御部２５を介して、パネル部２０へ出力して、お勧めのカスタマイズパネル２５２を表示する（ステップＳ１１１）。
【００６５】
入力部３３が現利用者による「採用」と表示された表示項目２５２ａに対する入力を受け付けると（ステップＳ１１２でＹＥＳ）、書込部３９は、現利用者について提示されたお勧めのカスタマイズパネルの基になったカスタマイズパネルテーブルを、前記現利用者のカスタマイズパネルテーブルとして、情報記憶部３４へ書き込む（ステップＳ１１３）。
【００６６】
次に、表示制御部３２は、情報記憶部３４から現利用者のカスタマイズパネルテーブルを読み出し（ステップＳ１１４）、読み出したカスタマイズパネルテーブルを用いてカスタマイズパネルを生成し（ステップＳ１１５）、生成したカスタマイズパネルをパネル制御部２５を介して、パネル部２０へ出力して、カスタマイズパネルを表示する（ステップＳ１１６）。
【００６７】
入力部３３が現利用者による「採用」と表示された表示項目２５２ａ以外の表示項目に対する入力を受け付けると（ステップＳ１１２でＮＯ）、表示制御部３２は、情報記憶部３４から標準パネルテーブルを読み出し（ステップＳ１１７）、標準パネルを生成し（ステップＳ１１８）、生成した標準パネルをパネル制御部２５を介して、パネル部２０へ出力して、標準パネルを表示する（ステップＳ１１９）。
【００６８】
入力部３３が現利用者による「オススメがあります」と表示された表示項目２５１ａ以外の表示項目に対する入力を受け付けると（ステップＳ１０８）、その他の処理がされる（ステップＳ１２０）。
次に、入力部３３は、現利用者の操作を受け付け（ステップＳ１２１）、受け付けた操作に対応する機能が実行される（ステップＳ１２２）。また、対応する機能の実行と並行して、入出力制御部３１は、使用履歴情報テーブルにおいて、受け付けた操作に対応する機能の回数に「１」を加算し（ステップＳ１２３）、合計を再計算し（ステップＳ１２４）、評価を再計算する（ステップＳ１２５）。
【００６９】
（２）選択部３７の動作
ここでは、選択部３７による利用者の使用履歴情報に関連する他の登録利用者のカスタマイズパネルの検索の動作について、図２１に示すフローチャートを用いて、説明する。
選択部３７は、受け取った利用者ＩＤにより、現利用者の使用履歴情報テーブルを特定し（ステップＳ１５１）、判定テーブル１４１を記憶するための領域を情報記憶部３４において確保し、現利用者の使用履歴情報テーブルから、評価「Ａ」の大項目及びその識別情報の組を全て読み出し、読み出した組を、判定テーブル１４１に書き込み、判定テーブル１４１の全てのカスタマイズパネルの大項目の有無の欄を「０」とすることにより、初期化する（ステップＳ１５２）。
【００７０】
次に、ステップＳ１５４〜Ｓ１５９において、選択部３７は、判定テーブル１４１内の大項目の識別情報について、ステップＳ１５５〜Ｓ１５８を繰り返す。
次に、ステップＳ１５５〜Ｓ１５８において、選択部３７は、抽出部３６から出力されたカスタマイズパネルテーブル毎に、つまり、現利用者と同一のボックスに属し、カスタマイズパネルを有する他の登録利用者毎に、ステップＳ１５６〜Ｓ１５７を繰り返す。
【００７１】
選択部３７は、判定テーブル１４１の大項目の識別情報が、カスタマイズパネルテーブルに存在するか確認する（ステップＳ１５６）。存在しない場合には、何もしない。存在する場合には、選択部３７は、判定テーブル１４１において、カスタマイズパネルテーブルに対応付けて、識別情報にフラグ「１」を付す。言い換えると、選択部３７は、判定テーブル１４１において、判定テーブル１４１の大項目の識別情報に対応するカスタマイズパネルの大項目の有無の欄に、フラグ「１」を書き込む（ステップＳ１５７）。
【００７２】
ステップＳ１５５〜Ｓ１５８の繰り返しが終了し、ステップＳ１５４〜Ｓ１５９の繰り返しが終了すると、選択部３７は、判定テーブル１４１において、全ての識別情報にフラグ「１」が付されたカスタマイズパネルテーブルが存在するか否かを判断する。言い換えると、使用履歴情報テーブルから抽出した全ての大項目について、カスタマイズパネルの大項目の有無が「１」となった登録利用者のカスタマイズパネルが存在するか否かを判断する（ステップＳ１６０）。
【００７３】
図１６に示す判定テーブル１４１においては、使用履歴情報テーブルから抽出した全ての大項目について、利用者５に対するカスタマイズパネルの大項目の有無が、全て「１」であるので、利用者５に対するカスタマイズパネルについて、上記の判断は、肯定的な結果となる。
一方、利用者４に対するカスタマイズパネルの大項目の有無が全て「１」ではないので、利用者４に対するカスタマイズパネルは、上記の判断の対象とならない。また、利用者６に対するカスタマイズパネルの大項目の有無も、全て「１」ではないので、利用者６に対するカスタマイズパネルは、上記の判断の対象とならない。
【００７４】
選択部３７は、判定テーブル１４１において、全ての識別情報にフラグ「１」が付されたカスタマイズパネルテーブルが存在する場合には、関連するカスタマイズパネルが存在すると判断する。判定テーブル１４１において、全ての識別情報にフラグ「１」が付されたカスタマイズパネルテーブルが存在しない場合には、関連するカスタマイズパネルが存在しないと判断する。
【００７５】
以上のようにして、選択部３７は、現利用者の使用履歴情報に関連するカスタマイズパネルの存在の有無を判断する。
図１６に示す判定テーブル１４１においては、利用者５に対するカスタマイズパネルが選択される。
要するに、選択部３７は、現利用者の使用履歴情報テーブルにおいて、評価「Ａ」が割り当てられた大項目の機能と、現利用者と同一のボックスに属する他の登録利用者であって、カスタマイズパネルを有するもののカスタマイズパネルの大項目の機能とを比較し、使用履歴情報テーブルの前記の大項目の機能と、カスタマイズパネルの大項目の機能とが、完全に一致するときに、現利用者の使用履歴情報に関連するカスタマイズパネルが存在すると判断し、当該カスタマイズパネルを現利用者への提示の対象とする。
【００７６】
言い換えると、選択部３７は、現利用者の使用履歴情報テーブルにおいて、所定の閾値以上の使用の回数の合計を有する大項目の機能と、現利用者と同一のボックスに属する他の登録利用者であって、カスタマイズパネルを有するもののカスタマイズパネルの大項目の機能とを比較し、使用履歴情報テーブルの前記の大項目の機能と、カスタマイズパネルの大項目の機能とが、完全に一致するときに、現利用者の使用履歴情報に関連するカスタマイズパネルが存在すると判断する。
【００７７】
さらに言い換えると、使用履歴取得部３８は、機能の使用の回数を含む使用履歴を取得し、選択部３７は、取得した使用履歴の機能のうち所定の閾値以上の使用の回数に対応する機能と、抽出されたカスタマイズパネルの機能とが、完全に一致するときに、当該カスタマイズパネルを選択する。
さらに言い換えると、情報記憶部３４は、カスタマイズ利用者の選択による複数の機能の操作方法を示すカスタマイズパネルテーブルを記憶しており、使用履歴取得部３８は、前記現利用者が過去に使用した複数の機能に係る前記使用履歴を取得し、前記使用履歴は、各機能使用の使用回数を含み、選択部３７は、取得した前記使用履歴の複数の機能のうち所定の閾値以上の使用回数に対応する複数の機能と、抽出されたカスタマイズパネルの複数の機能とが、完全に一致する場合に、当該カスタマイズパネルを選択する。
【００７８】
２．変形例（１）
上記の実施の形態の変形例について説明する。
ＭＦＰ１０は、図２２に示すように、ボックス２８１〜２８６を備えている。ボックス２８１及び２８２は、それぞれ、部署Ａ及び部署Ｂのためのボックスである。ボックス２８３、２８４、２８５及び２８６は、それぞれ、プロジェクト１、２、３及び４のためのボックスである。ここで、ボックス２８１及び２８２は、それぞれ、部署Ａ及び部署Ｂに所属する複数の登録利用者を関連付けて記憶している。また、ボックス２８３、２８４、２８５及び２８６は、それぞれ、プロジェクト１、２、３及び４に所属する複数の登録利用者を関連付けて記憶している。また、各ボックスは、各登録利用者について、カスタマイズパネルの有無を記憶している。
【００７９】
ボックス２８１は、登録利用者１〜１９を含み、ボックス２８２は、登録利用者２０〜２９を含む。また、ボックス２８３は、登録利用者１〜６、２５〜２９を含み、ボックス２８４は、登録利用者７〜９、２３〜２４を含み、ボックス２８５は、登録利用者１０〜１５、２０〜２２を含み、ボックス２８６は、登録利用者１６〜１９、２２〜２３を含む。
【００８０】
ここで、例えば、ボックス２８１は、利用者７〜９を含み、ボックス２８４も、利用者７〜９を含んでいる。このように、この変形例（１）においては、１のボックスと、他のボックスとは、重複して、同一の登録利用者を含んでいる。
ＭＦＰ１０は、現利用者に使用されるときに、当該現利用者によるログイン入力を受け付ける。ここで、現利用者は、図２２に示す登録利用者１０であるとする。
【００８１】
ログイン入力を行った現利用者が、自身の操作パネルをカスタマイズしていない場合に、ＭＦＰ１０は、当該現利用者が属するボックスに関連付けて記憶された他の登録利用者のカスタマイズパネルを全て抽出する。図２２に示す場合には、登録利用者１０は、ボックス２８１に属し、また、ボックス２８５に属している。従って、ＭＦＰ１０は、ボックス２８１及びボックス２８５の両方に属している登録利用者について、カスタマイズパネルが設定されている登録利用者を抽出する。この場合には、登録利用者１２〜１５が抽出される。次に、これらの登録利用者１２〜１５のカスタマイズパネル２７４〜２７７を抽出する。
【００８２】
次に、ＭＦＰ１０は、当該現利用者が過去にＭＦＰ１０において使用した機能に係る使用履歴を取得する。図２２に示す場合には、登録利用者１０の使用履歴として、「モノクロ」、「セキュリティ」及び「両面」を含む使用履歴２７３が取得される。
次に、ＭＦＰ１０は、抽出された前記カスタマイズパネル２７４〜２７７から、取得した使用履歴２７３による機能「モノクロ」、「セキュリティ」及び「両面」と、抽出されたカスタマイズパネル２７４〜２７７の各機能との一致の度合いに基づいて、１個のカスタマイズパネル２７６を選択する。
【００８３】
ここで、カスタマイズパネル２７６は、「カラー設定」、「セキュリティ設定」及び「両面設定」を含むので、使用履歴２７３に一致する。カスタマイズパネル２７６の「カラー設定」、「セキュリティ設定」及び「両面設定」は、それぞれ、使用履歴２７３の「モノクロ」、「セキュリティ」及び「両面」に対応するからである。ＭＦＰ１０は、選択されたカスタマイズパネル２７６をパネル部２０に表示することにより、利用者１０に提示する。
【００８４】
ＭＦＰ１０は、カスタマイズパネルをパネル部２０に表示した後に、現利用者から提示に係るカスタマイズパネルの登録の承諾を受け付け、提示に係るカスタマイズパネルを、前記現利用者のカスタマイズパネルとして、記憶する。
この後、利用者１０によってＭＦＰ１０の使用がされる場合には、ＭＦＰ１０は、利用者１０のカスタマイズパネルとして、図２２に示す利用者１４のカスタマイズパネル２７６と同じカスタマイズパネルを表示する。
【００８５】
ＭＦＰ１０の情報記憶部３４は、図２３に示すように、ボックステーブル１６１〜１６６を記憶するための領域を備えている。
ボックステーブル１６１〜１６６は、それぞれ、ボックスのデータ構造を示す情報テーブルである。ボックステーブル１６１〜１６６のデータ構造を図２３に示す。ボックステーブル１６１〜１６６は、それぞれ、図２２に示すボックス２８１〜２８６に対応している。
【００８６】
ボックステーブル１６１は、図２３に示すように、ボックス名と複数の利用者情報とから構成される。ボックス名及び複数の利用者情報については、上記の実施の形態において説明した通りである。ボックステーブル１６２〜１６６は、ボックステーブル１６１と同様のデータ構造を有する情報テーブルである。
ボックステーブル１６１及び１６２は、それぞれ、部署Ａ及び部署Ｂのためのボックスのデータ構造を示す情報テーブルであり、ボックステーブル１６３〜１６６は、それぞれ、プロジェクト１〜４のためのボックスのデータ構造を示す情報テーブルである。
【００８７】
以上説明したように、情報記憶部３４は、１のボックス（第１のボックス）に属する前記複数の登録利用者のうちの一部の登録利用者を、他のボックス（第２のボックス）に関連付けて記憶している。抽出部３６は、現利用者が属する前記ボックス（第１のボックス）及び現利用者が属する前記他のボックス（第２のボックス）の両方に関連付けて記憶された他の登録利用者のカスタマイズパネルを、情報記憶部３４から抽出する。
【００８８】
３．変形例（２）
上記の実施の形態の別の変形例について説明する。
（１）カスタマイズパネル３０１〜３０３
ここでは、図４に示すカスタマイズパネル２０５〜２０７に代えて、利用者４〜６に対して、図２４〜図２６に示すカスタマイズパネル３０１〜３０３が設定されているものとする。
【００８９】
カスタマイズパネル３０１は、大項目として、表示項目「カラー」、「倍率」及び「集約」を含む。また、大項目としての表示項目「カラー」について、小項目としての表示項目「フルカラー」、「モノクロ」及び「二色」を含み、大項目としての表示項目「倍率」について、小項目としての表示項目「A4→A3」、「A5→A4」及び「小さめ」を含み、大項目としての表示項目「集約」について、小項目としての表示項目「2 in 1」、「4 in 1」及び「8 in 1」を含む。
【００９０】
また、カスタマイズパネル３０２は、大項目として、表示項目「カラー」、「倍率」及び「ソート」を含む。また、大項目としての表示項目「カラー」について、小項目としての表示項目「フルカラー」、「モノクロ」及び「二色」を含み、大項目としての表示項目「倍率」について、小項目としての表示項目「A4→A3」、「A5→A4」及び「小さめ」を含み、大項目としての表示項目「ソート」について、小項目としての表示項目「ソート」、「グループ」及び「なし」を含む。
【００９１】
さらに、カスタマイズパネル３０３は、大項目として、表示項目「コントラスト」、「両面」及び「地紋」を含む。また、大項目としての表示項目「コントラスト」について、小項目としての表示項目「シャープ」、「中間」及び「なめらか」を含み、大項目としての表示項目「両面」について、小項目としての表示項目「片→片」、「片→両」及び「両→両」を含み、大項目としての表示項目「地紋」について、小項目としての表示項目「機密」、「コピー」及び「社外秘」を含む。
【００９２】
ＭＦＰ１０は、現利用者が過去にＭＦＰ１０において使用した機能に係る使用履歴として、図４に示すように、「フルカラー」、「文字画質」及び「ステープル」を含む使用履歴２０４を取得するものとする。これらは、図９に示す使用履歴情報テーブル１２１において、評価「Ａ」と認定された大項目の機能である。
使用履歴２０４のうちの「フルカラー」については、カスタマイズパネル３０１及び３０２に「カラー」が存在するが、カスタマイズパネル３０３に「カラー」が存在しない。また、使用履歴２０４のうちの「文字画質」及び「ステープル」については、対応する項目がカスタマイズパネル３０１〜３０３に存在しない。このため、まず、カスタマイズパネル３０１及び３０２が候補となる。
【００９３】
次に、使用履歴情報テーブル１２１において、評価「Ａ」以外と認定された大項目の機能が、カスタマイズパネル３０１及び３０２に存在するか否かを判断する。使用履歴情報テーブル１２１において、評価「Ｂ」と認定された大項目の機能「倍率」が存在し、カスタマイズパネル３０１及び３０２の両方に、「倍率」が存在する。このため、カスタマイズパネル３０１及び３０２のいずれかに決定することはできない。
【００９４】
次に、使用履歴情報テーブル１２１において、評価「Ｂ」及び「Ｃ」と認定された大項目の機能「集約」及び「ソート」が存在し、カスタマイズパネル３０１及び３０２に、それぞれ、「集約」及び「ソート」が存在する。そこで、「Ｃ」より評価の高い「Ｂ」と認定された「集約」を含むカスタマイズパネル３０１を選択する。
（２）判定テーブル１７１
変形例（２）の場合に用いられる判定テーブル１７１を図２７に示す。
【００９５】
判定テーブル１７１は、図１６に示す判定テーブル１４１と類似したデータ構造を有する。
判定テーブル１７１は、選択部３７により、登録利用者のカスタマイズパネルを選択するか否かを決定するために用いられ、また、登録利用者のカスタマイズパネルを選択する場合に、どのカスタマイズパネルを選択するかを決定するために用いられる。言い換えると、判定テーブル１７１は、現利用者が属するボックスと同一のボックスに属する他の登録利用者のうち、カスタマイズパネルが設定された登録利用者のこれらのカスタマイズパネルの機能と、現利用者によるＭＦＰ１０の使用の履歴を示す使用履歴情報テーブルの機能との一致の度合いを判定するためのテーブルである。
【００９６】
判定テーブル１７１は、図２７に示すように、複数個の判定情報から構成されている。複数の判定情報は、それぞれ、使用履歴情報テーブル１２１の複数の大項目に対応している。
判定情報は、大項目、識別情報、合計、評価、一例として利用者４のカスタマイズパネルにおける大項目の有無、一例として利用者５のカスタマイズパネルにおける大項目の有無及び一例として利用者６のカスタマイズパネルにおける大項目の有無から構成されている。ここで、大項目、識別情報、合計、評価は、使用履歴情報テーブル１２１の大項目、識別情報、合計、評価の内容と同一である。
【００９７】
カスタマイズパネルにおける大項目の有無（利用者４）、カスタマイズパネルにおける大項目の有無（利用者５）及びカスタマイズパネルにおける大項目の有無（利用者６）は、現利用者（一例として利用者１）が属するボックスと同一のボックスに属する他の登録利用者のうち、カスタマイズパネルが設定された登録利用者に対応している。図４に示すように、一例として、利用者４、利用者５及び利用者６がこれらの登録利用者である。
【００９８】
カスタマイズパネルにおける大項目の有無は、使用履歴情報テーブル１２１の大項目が登録利用者の当該カスタマイズパネルに含まれるか否かを示す。「１」は、含まれることを示し、「０」は、含まれないことを示している。
例えば、図２７の判定テーブル１７１の大項目「カラー」について、カスタマイズパネルにおける大項目の有無（利用者４）は、「１」であるので、利用者４のカスタマイズパネル３０１に、大項目「カラー」が含まれていることを示している。また、判定テーブル１７１の大項目「画質」について、カスタマイズパネルにおける大項目の有無（利用者４）は、「０」であるので、利用者４のカスタマイズパネル３０１に、大項目「画質」が含まれていないことを示している。
【００９９】
（３）選択部３７の動作
ここでは、選択部３７による利用者の使用履歴情報に関連する他の登録利用者のカスタマイズパネルの検索の動作について、図２８〜図２９に示すフローチャートを用いて、説明する。
選択部３７は、受け取った利用者ＩＤにより、現利用者の使用履歴情報テーブルを特定し（ステップＳ２０１）、判定テーブル１７１を記憶するための領域を情報記憶部３４において確保し、現利用者の使用履歴情報テーブルから、大項目、識別情報、合計、評価の組を全て読み出し、読み出した組を、判定テーブル１７１に書き込み、判定テーブル１７１の全てのカスタマイズパネルの大項目の有無の欄を「０」とすることにより、初期化する（ステップＳ２０２）。
【０１００】
次に、ステップＳ２０３〜Ｓ２０８において、選択部３７は、判定テーブル１７１内の大項目の識別情報について、ステップＳ２０４〜Ｓ２０７を繰り返す。
次に、ステップＳ２０４〜Ｓ２０７において、選択部３７は、抽出部３６から出力されたカスタマイズパネルテーブル毎に、つまり、現利用者と同一のボックスに属し、カスタマイズパネルを有する他の登録利用者のカスタマイズパネル毎に、ステップＳ２０５〜Ｓ２０７を繰り返す。
【０１０１】
選択部３７は、判定テーブル１７１の大項目の識別情報が、カスタマイズパネルテーブルに存在するか確認する（ステップＳ２０５）。存在しない場合には、何もしない。存在する場合には、選択部３７は、判定テーブル１７１において、カスタマイズパネルテーブルに対応付けて、識別情報にフラグ「１」を付す。言い換えると、選択部３７は、判定テーブル１７１において、判定テーブル１７１の大項目の識別情報に対応するカスタマイズパネルの大項目の有無の欄に、フラグ「１」を書き込む（ステップＳ２０６）。
【０１０２】
ステップＳ２０４〜Ｓ２０７の繰り返しが終了し、ステップＳ２０３〜Ｓ２０８の繰り返しが終了すると、選択部３７は、判定テーブル１７１において、評価「Ａ」が割り当てられた全ての識別情報にフラグ「１」が付されたカスタマイズパネルテーブルが存在するか否かを判断する。言い換えると、使用履歴情報テーブルから抽出した評価「Ａ」が割り当てられた全ての大項目について、カスタマイズパネルの大項目の有無が「１」となった登録利用者のカスタマイズパネルが存在するか否かを判断する（ステップＳ２０９）。
【０１０３】
図２７に示す判定テーブル１７１においては、使用履歴情報テーブルから抽出した評価「Ａ」が割り当てられた全ての大項目について、カスタマイズパネルの大項目の有無が、全て「１」であるものは存在しない。
選択部３７は、判定テーブル１７１において、評価「Ａ」が割り当てられた全ての識別情報にフラグ「１」が付されたカスタマイズパネルテーブルが存在する場合には、関連するカスタマイズパネルが存在すると判断し（ステップＳ２０９でＹＥＳ）、次に、当該カスタマイズパネルの利用者ＩＤを出力し（ステップＳ２１０）、処理を終了する。
【０１０４】
判定テーブル１７１において、評価「Ａ」が割り当てられた全ての識別情報にフラグ「１」が付されたカスタマイズパネルテーブルが存在しない場合には（ステップＳ２０９でＮＯ）、選択部３７は、判定テーブル１７１において、評価「Ａ」が割り当てられた識別情報にフラグ「１」が付されているか判断し（ステップＳ２１１）、判定テーブル１７１において、評価「Ａ」が割り当てられた識別情報にフラグ「１」が付されたものが全く存在しない場合（ステップＳ２１１でＮＯ）、関連するカスタマイズパネルが存在しないと判断し、処理を終了する。
【０１０５】
判定テーブル１７１において、評価「Ａ」が割り当てられた識別情報にフラグ「１」が付されたものが１個でも存在する場合（ステップＳ２１１でＹＥＳ）、評価「Ａ」が割り当てられた識別情報にフラグ「１」が付されたカスタマイズパネルの数が複数か否かを判断し（ステップＳ２１２）、カスタマイズパネルの数が１個であるなら（ステップＳ２１２でＮＯ）、そのカスタマイズパネルの利用者ＩＤを出力し（ステップＳ２１３）、処理を終了する。
【０１０６】
評価「Ａ」が割り当てられた識別情報にフラグ「１」が付されたカスタマイズパネルの数が複数であるなら（ステップＳ２１２でＹＥＳ）、その複数のカスタマイズパネルについて、フラグ「１」が付された識別情報に割り当てられた評価「Ａ」以外の評価を比較し（ステップＳ２１４）、高い評価が割り当てられたカスタマイズパネルを選択し（ステップＳ２１５）、選択したカスタマイズパネルの利用者ＩＤを出力し（ステップＳ２１６）、処理を終了する。
【０１０７】
以上をまとめると、情報記憶部３４は、カスタマイズ利用者の選択による複数の機能の操作方法を示す前記カスタマイズパネルテーブルを記憶しており、使用履歴取得部３８は、前記現利用者が過去に使用した複数の機能に係る前記使用履歴を取得し、前記使用履歴は、各機能使用の使用回数を含み、選択部３７は、取得した前記使用履歴の複数の機能のうち所定の閾値以上の使用回数に対応する複数の機能と、抽出されたカスタマイズパネルの複数の機能とが、完全に一致する場合に、当該カスタマイズパネルを選択する。
【０１０８】
また、選択部３７は、完全に一致しない場合、前記閾値以上の使用回数に対応する複数の機能と、抽出されたカスタマイズパネルの複数の機能との少なくとも一組が一致するときに、前記比較対象とした機能以外の他の機能の使用回数を用いて、当該カスタマイズパネルを選択する。
４．変形例（３）
上記の実施の形態の別の変形例について説明する。
【０１０９】
ここでは、図４に示すカスタマイズパネル２０５〜２０７に代えて、利用者４〜６のそれぞれに対して、図３０に示すカスタマイズパネル３０４が設定されているものとする。
カスタマイズパネル３０４は、大項目として、表示項目「コントラスト」、「濃度」及び「地紋」を含む。また、大項目としての表示項目「コントラスト」について、小項目としての表示項目「シャープ」、「中間」及び「なめらか」を含み、大項目としての表示項目「濃度」について、小項目としての表示項目「濃い」、「薄い」及び「自動」を含み、大項目としての表示項目「地紋」について、小項目としての表示項目「機密」、「コピー」及び「社外秘」を含む。
【０１１０】
現利用者である利用者１の使用履歴は、「フルカラー」、「文字画質」及び「ステープル」であり、カスタマイズパネル３０４の機能とは、関連が無い。
このような場合には、ＭＦＰ１０は、カスタマイズパネルをユーザに提示しない。
５．変形例（４）
上記の実施の形態の別の変形例について説明する。
【０１１１】
ここでは、別の変形例としてのＭＦＰ１０の動作について、図３１に示すフローチャートを用いて、説明する。
電源がＯＮに投入されると、ＭＦＰ１０は、登録されている登録利用者のうち、カスタマイズパネルが設定されていない登録利用者について、上記の実施の形態において説明したようにして、お勧めのカスタマイズパネルを選択し、選択したお勧めのカスタマイズパネルを利用者の利用者ＩＤとともに情報記憶部３４に記憶する（ステップＳ３０１）。
【０１１２】
入力部３３は、パネル部２０からパネル制御部２５を介して、現利用者の利用者ＩＤの入力を伴って、現利用者のログイン操作を受け付ける（ステップＳ３０２）。
入出力制御部３１は、現利用者のお勧めカスタマイズパネルが情報記憶部３４に記憶されているか否かを判断する（ステップＳ３０３）。お勧めカスタマイズパネルが存在しない場合には（ステップＳ３０３で無）、ステップＳ３１６へ制御が移る。
【０１１３】
お勧めカスタマイズパネルが存在する場合には（ステップＳ３０３で有）、表示制御部３２は、情報記憶部３４から標準パネルテーブルを読み出し（ステップＳ３０４）、一例として、図１７に示す「オススメがあります」と表示された表示項目２５１ａを含む標準パネル２５１を生成し（ステップＳ３０５）、生成した標準パネル２５１をパネル制御部２５を介して、パネル部２０へ出力して、標準パネル２５１を表示する（ステップＳ３０６）。
【０１１４】
入力部３３が現利用者による「オススメがあります」と表示された表示項目２５１ａに対する入力を受け付けると（ステップＳ３０７）、表示制御部３２は、記憶されたお勧めのカスタマイズパネルテーブルを読み出し（ステップＳ３０８）、一例として、図１８に示すお勧めのカスタマイズパネル２５２を生成し（ステップＳ３０９）、生成したお勧めのカスタマイズパネル２５２をパネル制御部２５を介して、パネル部２０へ出力して、お勧めのカスタマイズパネル２５２を表示する（ステップＳ３１０）。
【０１１５】
入力部３３が現利用者による「採用」と表示された表示項目２５２ａに対する入力を受け付けると（ステップＳ３１１でＹＥＳ）、書込部３９は、記憶されたお勧めのカスタマイズパネルを、前記現利用者のカスタマイズパネルテーブルとして、情報記憶部３４へ書き込む（ステップＳ３１２）。
次に、表示制御部３２は、情報記憶部３４から現利用者のカスタマイズパネルテーブルを読み出し（ステップＳ３１３）、読み出したカスタマイズパネルテーブルを用いてカスタマイズパネルを生成し（ステップＳ３１４）、生成したカスタマイズパネルをパネル制御部２５を介して、パネル部２０へ出力して、カスタマイズパネルを表示する（ステップＳ３１５）。
【０１１６】
入力部３３が現利用者による「採用」と表示された表示項目２５２ａ以外の表示項目に対する入力を受け付けると（ステップＳ３１１でＮＯ）、表示制御部３２は、情報記憶部３４から標準パネルテーブルを読み出し（ステップＳ３１６）、標準パネルを生成し（ステップＳ３１７）、生成した標準パネルをパネル制御部２５を介して、パネル部２０へ出力して、標準パネルを表示する（ステップＳ３１８）。
【０１１７】
入力部３３が現利用者による「オススメがあります」と表示された表示項目２５１ａ以外の表示項目に対する入力を受け付けると（ステップＳ３０７）、その他の処理がされる（ステップＳ３１９）。
５．その他の変形例
なお、本発明を上記の実施の形態に基づいて説明してきたが、本発明は、上記の実施の形態に限定されないのはもちろんである。以下のような場合も本発明に含まれる。
【０１１８】
（１）上記の実施の形態及び各変形例において、使用履歴取得部３８は、現利用者が過去に使用したジョブの設定内容である機能を示す使用履歴を取得する。各機能は、大項目及び小項目から構成される。情報記憶部３４に記憶されている各カスタマイズパネルテーブルは、カスタマイズ利用者の選択による機能の操作方法を示し、各機能は、大項目及び小項目から構成される。選択部３７は、取得した前記使用履歴の各機能の大項目及び小項目と、前記カスタマイズパネルテーブルの前記機能の大項目及び小項目とを比較して、前記カスタマイズパネルを選択する。
【０１１９】
なお、上記の実施の形態及び変形例では、各機能を大項目及び小項目に分類しているが、これには限定されない。例えば、各機能を大項目、中項目及び小項目に分類してもよい。さらに多階層に分類してもよい。
各機能を大項目、中項目及び小項目に分類する場合に、使用履歴取得部３８は、現利用者が過去に使用したジョブの設定内容である機能を示す使用履歴を取得する。使用履歴の各機能は、大項目、中項目及び小項目から構成される。情報記憶部３４に記憶されている各カスタマイズパネルテーブルは、カスタマイズ利用者の選択による機能の操作方法を示し、各機能は、大項目、中項目及び小項目から構成される。選択部３７は、取得した前記使用履歴の各機能の大項目、中項目及び小項目と、前記カスタマイズパネルテーブルの前記機能の大項目、中項目及び小項目とを比較して、前記カスタマイズパネルを選択する。
【０１２０】
（２）本発明は、上記に示す方法であるとしてもよい。また、これらの方法をコンピュータにより実現するコンピュータプログラムであるとしてもよいし、前記コンピュータプログラムからなるデジタル信号であるとしてもよい。ここで、コンピュータプログラムは、所定の機能を達成するために、コンピュータに対する指令を示す命令コードが複数個組み合わされて構成されたものである。
【０１２１】
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。また、これらの記録媒体に記録されている前記コンピュータプログラム又は前記デジタル信号であるとしてもよい。
【０１２２】
また、本発明は、前記コンピュータプログラム又は前記デジタル信号を、電気通信回線、無線又は有線通信回線、インターネットを代表とするネットワーク、データ放送等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【０１２３】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（３）上記実施の形態及び上記変形例をそれぞれ組み合わせるとしてもよい。
【産業上の利用可能性】
【０１２４】
本発明を構成するプリンタ、複写機、ファクシミリ、スキャナなどの機能を兼ね備えたＭＦＰは、利用者が自身のために操作パネルをカスタマイズして利用する場合に有用である。
【符号の説明】
【０１２５】
１０    ＭＦＰ
１５    制御部
２０    パネル部
２１    ＣＰＵ
２２    ＲＡＭ
２３    ＲＯＭ
２４    ＨＤＤ
２５    パネル制御部
２６    プリント処理制御部
２７    ネットワークインタフェース部
２８    外部機器接続部
３１    入出力制御部
３２    表示制御部
３３    入力部
３４    情報記憶部
３５    カスタマイズ判断部
３６    抽出部
３７    選択部
３８    使用履歴取得部
３９    書込部
【図１】
2011015179.tif 000003
【図２】
2011015179.tif 000004
【図３】
2011015179.tif 000005
【図４】
2011015179.tif 000006
【図５】
2011015179.tif 000007
【図６】
2011015179.tif 000008
【図７】
2011015179.tif 000009
【図８】
2011015179.tif 000010
【図９】
2011015179.tif 000011
【図１０】
2011015179.tif 000012
【図１１】
2011015179.tif 000013
【図１２】
2011015179.tif 000014
【図１３】
2011015179.tif 000015
【図１４】
2011015179.tif 000016
【図１５】
2011015179.tif 000017
【図１６】
2011015179.tif 000018
【図１７】
2011015179.tif 000019
【図１８】
2011015179.tif 000020
【図１９】
2011015179.tif 000021
【図２０】
2011015179.tif 000022
【図２１】
2011015179.tif 000023
【図２２】
2011015179.tif 000024
【図２３】
2011015179.tif 000025
【図２４】
2011015179.tif 000026
【図２５】
2011015179.tif 000027
【図２６】
2011015179.tif 000028
【図２７】
2011015179.tif 000029
【図２８】
2011015179.tif 000030
【図２９】
2011015179.tif 000031
【図３０】
2011015179.tif 000032
【図３１】
2011015179.tif 000033